(57)【要約】【課題】コネクタへの接続線の着脱が容易に行え、コネクタに接続された接続線が邪魔にならないようにする。【解決手段】コネクタ部３において、基準面４に対して傾斜して設けられた傾斜面６に、接続線７が接続されるコネクタ８を取り付ける。これによりコネクタ８に対して接続線７を着脱する際、ナット部７ｂを締緩する工具が、上部に位置するコネクタ８やスイッチ５に接触しないので、接続線７の着脱作業が容易である。また、コネクタ８に接続された接続線７が斜め下方に延出されるので、接続線７が接続された近傍のスイッチ５から遠ざかることとなり接続線７が邪魔にならずスイッチ５の操作がし易くなる。また、傾斜面６から基準面４側に戻る返し斜面９にコネクタ８に対応する表示が記すことで、この表示が見易い状態となる。【選択図】　　　　図１
2004022349.tif 000002
【特許請求の範囲】
【請求項１】
基準面（４）と、
前記基準面に対して傾斜して設けられ、接続線（７）が接続されるコネクタ（８）が取り付けられる傾斜面（６）と、
を備えたことを特徴とするコネクタパネル。
【請求項２】
前記傾斜面（６）から前記基準面（４）側に戻る返し斜面（９）を有し、該返し斜面に前記傾斜面に取り付けられた前記コネクタ（８）に対応する表示が記されることを特徴とする請求項１記載のコネクタパネル。
【請求項３】
前記傾斜面（６）が、前記返し斜面（９）を介して複数設けられていることを特徴とする請求項２記載のコネクタパネル。
【請求項４】
前記コネクタ（８）が、同軸コネクタであることを特徴とする請求項１〜請求項３の何れかに記載のコネクタパネル。
【発明の詳細な説明】
【０００１】
【発明の属する技術分野】
本発明は、電子機器などに備えられ、接続線を接続するコネクタを有したコネクタパネルに関するものである。
【０００２】
【従来の技術】
図３（ａ）は従来のコネクタパネルを示す正面図、図３（ｂ）は従来のコネクタパネルを示す側面図である。
従来のコネクタパネルは、電子機器などの外面の一部を構成し、パネル部１０１に対して接続線１０２を着脱可能にして接続するコネクタ１０３を有している。パネル部１０１は平坦な板体をなしている。コネクタ１０３は、マイクロ波帯で一般に用いられている高周波同軸コネクタであり、例えば小型で使用周波数範囲（ＤＣ〜１８ＧＨｚ）の広いＳＭＡ（Ｓｕｂ　Ｍｉｎｉａｔｕｒｅ　Ｔｙｐｅ　Ａ）コネクタである。このコネクタ１０３は、パネル部１０１の外面に対して接続軸線を垂直にして取り付けられている。また、コネクタ１０３に接続される接続線１０２は主にセミリジッドケーブルが用いられ、その端部には、コネクタ１０３に接続される接続シェル１０２ａと、コネクタ１０３の外周にあるネジ部１０３ａに螺着されるナット部１０２ｂとが設けられている。なお、パネル部１０１には、前記コネクタ１０３の他に各種スイッチ１０４が配設されている。
【０００３】
【発明が解決しようとする課題】
しかしながら、上述した従来のコネクタパネルでは、コネクタ１０３がパネル部１０１に対して接続軸線を垂直にして取り付けられているので、図３（ｂ）に示すように、コネクタ１０３に接続線１０２を着脱する際、ナット部１０２ｂを締緩する工具が、すでに接続されている接続線１０２やスイッチ１０４に接触してしまい、着脱作業を容易に行うことができないという問題があった。このため、従来では特殊な工具を使用している。
【０００４】
また、コネクタ１０３がパネル部１０１に対して接続軸線を垂直にして取り付けられているので、図３（ｂ）に示すように、コネクタ１０３に接続された接続線１０２がパネル部１０１に対して垂直に延出される。このため、接続線１０２が接続された近傍のスイッチ１０４を操作する際、手が入るスペースが制限されるため、操作がし難くいという問題がある。さらに、コネクタ１０３に接続された接続線１０２がパネル部１０１に対して垂直に延出されるため、特に、接続線１０２がセミリジッドケーブルのように急な曲げができない硬質のもの場合に、パネル部１０１の前面に長く延出して邪魔になるという問題がある。
【０００５】
そこで本発明は、上記課題を解消するために、コネクタへの接続線の着脱を容易に行うことができ、且つ、コネクタに接続された接続線が邪魔にならないようにすることができるコネクタパネルを提供することを目的としている。
【０００６】
【課題を解決するための手段】
上記目的を達成するため本発明による請求項１記載のコネクタパネルは、
基準面４と、
前記基準面４に対して傾斜して設けられ、接続線７が接続されるコネクタ８が取り付けられる傾斜面６と、
を備えたことを特徴とする。
【０００７】
請求項２記載のコネクタパネルは請求項１記載のコネクタパネルにおいて、
前記傾斜面６から前記基準面４側に戻る返し斜面９を有し、該返し斜面９に前記傾斜面６に取り付けられた前記コネクタ８に対応する表示が記されることを特徴とする。
【０００８】
請求項３記載のコネクタパネルは請求項２記載のコネクタパネルにおいて、
前記傾斜面６が、前記返し斜面９を介して複数設けられていることを特徴とする。
【０００９】
請求項４記載のコネクタパネルは請求項１〜請求項３の何れかに記載のコネクタパネルにおいて、
前記コネクタ８が、同軸コネクタであることを特徴とする。
【００１０】
【発明の実施の形態】
以下、本発明の実施の形態を図面を参照して具体的に説明する。
図１（ａ）は本発明のコネクタパネルを示す正面図、図１（ｂ）は同コネクタパネルを示す側面図である。
【００１１】
本実施の形態でのコネクタパネルは、電子機器などの外面の一部を構成するパネル部１を構成している。このパネル部１は、平坦な板体を基に形成され、操作部２とコネクタ部３とを有している。操作部２は、平坦な基準面４をなしている。この基準面４には、ボリュームスイッチや押しボタンスイッチなどの各種スイッチ５が配設されている。
【００１２】
コネクタ部３は、前記板体が折曲されて形成され、基準面４に対して傾斜して設けられた傾斜面６をなしている。この傾斜面６には、接続線７が接続されるコネクタ８が取り付けられている。
【００１３】
コネクタ８は、マイクロ波帯で一般に用いられている高周波同軸コネクタであり、例えば小型で使用周波数範囲（ＤＣ〜１８ＧＨｚ）の広いＳＭＡ（Ｓｕｂ　Ｍｉｎｉａｔｕｒｅ　Ｔｙｐｅ　Ａ）コネクタである。このコネクタ８は、傾斜面６に対して接続軸線を垂直にして取り付けられている。すなわち、コネクタ８は、基準面４に対して傾斜面６が傾斜した角度分、接続軸線が傾斜して設けられている。
【００１４】
また、コネクタ８に接続される接続線７は、主にセミリジッドケーブルが用いられ、その端部には、コネクタ８に接続される接続シェル７ａと、コネクタ８の外周にあるネジ部８ａに螺着されるナット部７ｂとが設けられている。
【００１５】
なお、コネクタ８が高周波同軸コネクタであるため、接続線７のナット部７ｂは、コネクタ８のネジ部８ａに工具をもって締め付けする必要がある。
【００１６】
また、コネクタ部３は、傾斜面６から基準面側に戻る返し斜面９を有している。この返し斜面９には、傾斜面６に取り付けられたコネクタ８に対応する表示が記される。また、傾斜面６は、返し斜面９を介して複数設けられる。
【００１７】
ところで、上記コネクタパネルは、本実施の形態では、図２に示すように、電子機器などの正面において、パネル部１が着脱可能とされたユニットとして構成され、このユニットが複数（図２では二つ）配されている。また、電子機器は、情報通信用測定器としての誤り測定器を一例としている。この誤り測定器は、送信された符号が、伝送中に外部要因により変化し、送信符号と受信符号とが不一致になる符号誤りを測定するものである。図２で示す誤り測定器は、パネル部１を有するユニットの一方が、送信符号を発生するパルスパターン発生部Ａを構成し、パネル部１を有するユニットの他方が、符号を受信して誤り率を測定する誤り検出部Ｂを構成している。そして、パルスパターン発生部Ａを構成するパネル部１のコネクタ８に接続した接続線７と、誤り検出部Ｂを構成パネル部１のコネクタ８に接続した接続線７とをそれぞれ被測定物Ｃに接続し、被測定物Ｃにおける符号誤りを測定する。
【００１８】
このように構成されたコネクタパネルでは、コネクタ部３において、基準面４に対して傾斜して設けられた傾斜面６に、接続線７が接続されるコネクタ８が取り付けられているので、コネクタ８に対して接続線７を着脱する際、図１（ｂ）に示すように、ナット部７ｂを締緩する工具が、コネクタ８やスイッチ５に接触することがない。また、接続線７を接続しようとするコネクタ８の上側に位置するコネクタ８に既に接続線７が接続されていた場合でも、従来に比べ工具の動作範囲を大きく取ることができる。すなわち、接続線７の着脱作業を容易に行うことが可能となり、且つ、通常の工具を用いることができる。
【００１９】
また、基準面４に対して傾斜して設けられた傾斜面６に、接続線７が接続されるコネクタ８が取り付けられているので、図１（ｂ）に示すように、コネクタ８に接続された接続線７が斜め下方に延出される。このため、接続線７が接続された近傍のスイッチ５から遠ざかることとなり手の入るスペースが確保されるためスイッチ５の操作がし易くなる。
【００２０】
さらに、コネクタ８に接続された接続線７が斜め下方に延出されるため、特に、接続線７がセミリジッドケーブルのように急な曲げができない硬質のもの場合に、下方に向かって滑らかに湾曲するので、パネル部１の前面に長く延出することがなく邪魔になることがない。
【００２１】
また、基準面４に対して傾斜して設けられた傾斜面６に、接続線７が接続されるコネクタ８が取り付けられているので、各コネクタ８間の鉛直方向のピッチを従来よりも狭くすることが可能である。このため、コネクタ部３を省スペース化して、操作部２の領域を有効に使用できる。
【００２２】
また、基準面４に対して傾斜して設けられた傾斜面６に、接続線７が接続されるコネクタ８が取り付けられているので、必然と返し斜面９が得られ、この返し斜面９にコネクタ８に対応する表示が記すことができるとともに、この表示を上向きの見易い状態とすることが可能となる。
【００２３】
なお、上述した実施の形態では、図１（ａ），（ｂ）において、基準面４を垂直な面として図示しているが、この限りでなく、多少の傾斜する面、あるいは水平な面としても、前記傾斜面６および返し斜面９の効果を得ることが可能である。
【００２４】
また、上述した実施の形態では、コネクタ部３が操作部２と一体の板体からなり、この板体の折曲により傾斜面６および返し斜面９が形成されているが、この限りでなく、傾斜面６および返し斜面９を合成樹脂材などの型成形により得て、これをパネル部１に取り付ける構成であってもよい。
【００２５】
【発明の効果】
以上説明したように本発明によるコネクタパネルは、基準面に対して傾斜して設けられた傾斜面に、接続線が接続されるコネクタが取り付けられているので、コネクタに対して接続線を着脱する際、コネクタと接続線を締緩する工具が、コネクタや他の部位に接触することがない。また、接続線を接続しようとするコネクタの上側に位置するコネクタに既に接続線が接続されていた場合でも、従来に比べ工具の動作範囲を大きく取ることができる。すなわち、接続線の着脱作業を容易に行うことができ、通常の工具を用いることができる。
【００２６】
また、基準面に対して傾斜して設けられた傾斜面に、接続線が接続されるコネクタが取り付けられているので、コネクタに接続された接続線が斜めに延出される。このため、接続線が接続された近傍にスイッチがある場合、このスイッチから接続線が遠ざかるのでスイッチの操作がし易くなる。
【００２７】
さらに、コネクタに接続された接続線が斜めに延出されるため、特に、接続線がセミリジッドケーブルのように急な曲げができない硬質のもの場合に、斜めに滑らかに湾曲するので、前面に長く延出することがなく邪魔になることがない。
【００２８】
また、基準面に対して傾斜して設けられた傾斜面に、接続線が接続されるコネクタが取り付けられているので、複数の傾斜面に設けられた各コネクタ間の鉛直方向のピッチを狭くすることが可能である。このため、全体の省スペース化が図られ、その他の領域を有効に使用できる。
【００２９】
また、基準面に対して傾斜して設けられた傾斜面に、接続線が接続されるコネクタが取り付けられているので、必然と返し斜面が得られ、この返し斜面にコネクタに対応する表示が記すことができるとともに、この表示を上向きの見易い状態とすることができる。
【図面の簡単な説明】
【図１】（ａ）本発明のコネクタパネルを示す正面図。
（ｂ）同コネクタパネルを示す側面図。
【図２】前記コネクタパネルを用いた電子機器の例を示す正面図。
【図３】（ａ）従来のコネクタパネルを示す正面図。
（ｂ）従来のコネクタパネルを示す側面図。
【符号の説明】
４…基準面、６…傾斜面、７…接続線、８…コネクタ、９…返し斜面。
【図１】
2004022349.tif 000003
【図２】
2004022349.tif 000004
【図３】
2004022349.tif 000005